(57)【要約】      （修正有）【課題】粉砕された木質系バイオマスを積極的に排出することで、粉砕効率の向上及び粉砕容量の増大を図るバイオマスミルを提供する。【解決手段】分級室１６を形成するハウジング３と、該ハウジングの上部に収納された分級機３２と、前記ハウジングの下部に収納され、テーブル駆動装置６によって回転駆動される粉砕テーブル５と、該粉砕テーブルに押圧される加圧ローラ１１を有する加圧ローラユニット９と、前記粉砕テーブルの下方に形成され、１次空気が導入される１次空気室１５と、前記粉砕テーブルの周囲から前記１次空気室の１次空気を吹出す吹出し口１８と、前記粉砕テーブルの中心に木質系バイオマスを供給するシュート２１とを具備し、前記吹出し口は１次空気の旋回流を減じる様に垂直又はテーブル回転方向とは逆向きに傾斜させて形成した。【選択図】図１
2012115738.tif 000002
【特許請求の範囲】
【請求項１】
分級室を形成するハウジングと、該ハウジングの上部に収納された分級機と、前記ハウジングの下部に収納され、テーブル駆動装置によって回転駆動される粉砕テーブルと、該粉砕テーブルに押圧される加圧ローラを有する加圧ローラユニットと、前記粉砕テーブルの下方に形成され、１次空気が導入される１次空気室と、前記粉砕テーブルの周囲から前記１次空気室の１次空気を吹出す吹出し口と、前記粉砕テーブルの中心に木質系バイオマスを供給するシュートとを具備し、前記吹出し口は１次空気の旋回流を減じる様に垂直又はテーブル回転方向とは逆向きに傾斜させて形成したことを特徴とするバイオマスミル。
【請求項２】
前記吹出し口は、前記粉砕テーブルの周面に該粉砕テーブルの回転速度を相殺する角度に傾斜させて形成した請求項１のバイオマスミル。
【請求項３】
前記シュートの周囲を覆う円筒部を有する整流筒を更に具備し、該整流筒により前記分級室の流路断面積を縮小させた請求項１又は請求項２のバイオマスミル。
【発明の詳細な説明】
【技術分野】
【０００１】
本発明は、木質系バイオマスをボイラ燃料として粉砕するバイオマスミル、特に木質チップ、木質ペレットを燃料とするバイオマスミルに関するものである。
【背景技術】
【０００２】
現在、ボイラの固形燃料として使用されているのは、主に石炭であるが、ＣＯ2 の削減対策として、環境負荷の少ない木質系バイオマスを燃料とすることが検討されている。
【０００３】
木質系バイオマスをボイラの燃料とするには、木質チップ、木質ペレット等の木質系バイオマスをバーナ燃焼可能な様に粉砕する必要がある。
【０００４】
石炭に木質系バイオマスを混合して燃料とする場合、木質系バイオマスの混合量が少なければ既存の石炭ミルにより混合粉砕することも可能であるが、木質系バイオマスの使用量が多くなると、木質系バイオマス単独で粉砕する必要がある。
【０００５】
又、木質系バイオマスを粉砕する装置として石炭粉砕用の石炭ローラミルを基本とした粉砕装置とすることにより、大きな改良、大きな設備変更をすることなく低コストで実施可能となる。
【０００６】
石炭ローラミルを用いて石炭の粉砕を行う際には、石炭供給装置から塊状の石炭が粉砕テーブルの中央に投下され、テーブル駆動装置によって前記粉砕テーブルが回転され、該粉砕テーブルの回転によって外周方向に移動した石炭が、回転自在に設けられた加圧ローラに噛込まれることで粉砕される。
【０００７】
粉砕された石炭粒は、前記粉砕テーブルの回転により更に外周方向へと移動され、吹出し口より高速で噴出される１次空気によって上方へと吹上げられ、送給管よりボイラへと送給される。
【０００８】
従来の石炭ローラミルの場合、１次空気の吹出し口は、粉砕テーブルの回転方向及び粉砕テーブルの中心方向に傾いており、１次空気に吹上げられた石炭粒は分級室を大きく旋回しながら上昇する。
【０００９】
然し乍ら、木質系バイオマスを単独で粉砕する場合、或は石炭に対し木質系バイオマスの混合比率が大きくなると、木質系バイオマスは軽量の繊維質であり、互いに絡み合う為、前記粉砕テーブルの回転遠心力による移動が石炭に比べて円滑に行われない。
【００１０】
又、１次空気に吹上げられる木質系バイオマスは、分級室内を大きく旋回しながら上昇する為、流路が長くなることで木質系バイオマスがミル外に排出され難くなり、ミル内に滞留してミル内の差圧上昇の原因となり、送風動力が増大すると共に前記テーブル駆動装置の動力が増大する。駆動装置の動力増大により、木質系バイオマスの粉砕容量は石炭の粉砕容量の１０％程度迄制限されることになる。
【００１１】
上記した様に、竪型ミル、又は同等の構造を有するミルに木質系バイオマスを供給して粉砕した場合、ミルの木質系バイオマスが石炭とは異なった挙動を呈し、充分な粉砕容量が得られないという問題があった。
【００１２】
尚、石炭や木質系バイオマス等を粉砕する竪型ミルとしては、特許文献１〜特許文献３に示されるものがあり、特許文献１には、乾燥、搬送用熱風を導く一次分級ブロックの下面に熱風案内用フィンを設け、ミル内の熱風の旋回力を増大させることで、セパレータに達する粗粒分を低減させる竪型ローラミルが開示されている。
【００１３】
又、特許文献２には、粉砕テーブルの外周下方より噴出される空気流の流量とダムリングの高さを調整することで、木質燃料を製造可能とした木質燃料製造方法が開示されている。
【００１４】
又、特許文献３には、ダムリングの高さを低くすることで固形物の排出性を向上させ、ミル動力の抑制を図る竪型ローラミルおよびその運転方法が開示されている。
【先行技術文献】
【特許文献】
【００１５】
【特許文献１】特開平１０−２８８９０号公報
【特許文献２】特開２００５−１１３１２５号公報
【特許文献３】特開平１１−２０７２００号公報
【発明の概要】
【発明が解決しようとする課題】
【００１６】
本発明は斯かる実情に鑑み、粉砕された木質系バイオマスを積極的に排出することで、粉砕効率の向上及び粉砕容量の増大を図るバイオマスミルを提供するものである。
【課題を解決するための手段】
【００１７】
本発明は、分級室を形成するハウジングと、該ハウジングの上部に収納された分級機と、前記ハウジングの下部に収納され、テーブル駆動装置によって回転駆動される粉砕テーブルと、該粉砕テーブルに押圧される加圧ローラを有する加圧ローラユニットと、前記粉砕テーブルの下方に形成され、１次空気が導入される１次空気室と、前記粉砕テーブルの周囲から前記１次空気室の１次空気を吹出す吹出し口と、前記粉砕テーブルの中心に木質系バイオマスを供給するシュートとを具備し、前記吹出し口は１次空気の旋回流を減じる様に垂直又はテーブル回転方向とは逆向きに傾斜させて形成したバイオマスミルに係るものである。
【００１８】
又本発明は、前記吹出し口は、前記粉砕テーブルの周面に該粉砕テーブルの回転速度を相殺する角度に傾斜させて形成したバイオマスミルに係り、更に又本発明は、前記シュートの周囲を覆う円筒部を有する整流筒を更に具備し、該整流筒により前記分級室の流路断面積を縮小させたバイオマスミルに係るものである。
【発明の効果】
【００１９】
本発明によれば、分級室を形成するハウジングと、該ハウジングの上部に収納された分級機と、前記ハウジングの下部に収納され、テーブル駆動装置によって回転駆動される粉砕テーブルと、該粉砕テーブルに押圧される加圧ローラを有する加圧ローラユニットと、前記粉砕テーブルの下方に形成され、１次空気が導入される１次空気室と、前記粉砕テーブルの周囲から前記１次空気室の１次空気を吹出す吹出し口と、前記粉砕テーブルの中心に木質系バイオマスを供給するシュートとを具備し、前記吹出し口は１次空気の旋回流を減じる様に垂直又はテーブル回転方向とは逆向きに傾斜させて形成したので、該吹出し口から前記分級機迄の１次空気の流路を短くすることができ、粉砕された木質系バイオマスを積極的に排出することで粉砕効率の向上及び粉砕容量の増大を図ることができるという優れた効果を発揮する。
【図面の簡単な説明】
【００２０】
【図１】本発明の第１の実施例に係る竪型ミルの概略立断面図である。
【図２】本発明の第２の実施例に係る竪型ミルの概略立断面図である。
【図３】ミル差圧と木質系バイオマスの供給量との関係を示し、（Ａ）は本発明の第１の実施例に係る竪型ミルと、従来の竪型ミルとを比較したグラフであり、（Ｂ）は本発明の第２の実施例に係る竪型ミルと、本発明の第１の実施例に係る竪型ミルと、従来の竪型ミルとを比較したグラフである。
【発明を実施するための形態】
【００２１】
以下、図面を参照しつつ本発明の実施例を説明する。
【００２２】
先ず、図１に於いて本発明の第１の実施例の竪型ミル１について説明する。
【００２３】
中空構造又は脚構造の基台２に筒状のハウジング３が立設され、該ハウジング３によって密閉された空間が形成される。該空間の下部には減速機４を介して粉砕テーブル５が設けられ、前記減速機４はテーブル駆動モータ６によって駆動され、粉砕テーブル５は前記減速機４によって定速又は可変速で回転される。
【００２４】
前記粉砕テーブル５の上面には、断面が円弧状の凹溝７を有するテーブルセグメント８が設けられている。
【００２５】
前記粉砕テーブル５の回転中心から放射状に所要組数、例えば３組の加圧ローラユニット９が１２０°間隔で設けられている。該加圧ローラユニット９は、加圧ローラ１１を有し、ピボット軸１２を中心に傾動自在となっている。又、前記ハウジング３の下部には、放射状に貫通する３組のローラ加圧装置１３が設けられている。該ローラ加圧装置１３は、アクチュエータ、例えば油圧シリンダ１４を具備し、該油圧シリンダ１４によって前記加圧ローラ１１を前記凹溝７に押圧する様になっている。
【００２６】
前記粉砕テーブル５の下方には１次空気室１５が形成され、前記ハウジング３内部の前記粉砕テーブル５より上方は、分級室１６となっている。
【００２７】
前記ハウジング３の下部には１次空気供給口１７が取付けられ、該１次空気供給口１７は図示しない送風機に接続されると共に、前記１次空気室１５に連通している。前記粉砕テーブル５の周囲には、１次空気が前記ハウジング３の内壁に沿って吹上がる様、垂直に形成された１次空気の吹出し口１８が全周に設けられている。尚、該吹出し口１８は前記粉砕テーブル５の周面に設けられてもよく、或は前記ハウジング３側に設けられてもよい。
【００２８】
前記ハウジング３の上側には燃料給排部１９が設けられており、該燃料給排部１９の中心部を貫通する様にパイプ状のシュート２１が設けられ、該シュート２１は前記ハウジング３の内部に延出し、下端が前記粉砕テーブル５の中央上方に位置している。前記シュート２１には石炭や木質系バイオマス、例えば木質ペレットが供給され、供給された石炭や木質ペレットは前記粉砕テーブル５の中心部に落下する様になっている。
【００２９】
前記シュート２１には回転管２２が外嵌され、該回転管２２は回転管支持部２３に軸受け２４を介して回転自在に支持されている。前記回転管２２には、プーリ２５が設けられ、該プーリ２５とプーリ２６との間にはベルト２７が掛回され、前記プーリ２６は減速機２８の出力軸に嵌着されている。而して、前記回転管２２は前記減速機２８、前記プーリ２６、前記ベルト２７、前記プーリ２５を介して分級機モータ２９によって回転される様になっている。
【００３０】
又、前記回転管２２にはブレード３１が取付けられ、前記回転管２２、前記プーリ２５、前記プーリ２６、前記ベルト２７、前記減速機２８、前記分級機モータ２９、前記ブレード３１によって分級機３２が構成されている。
【００３１】
前記ブレード３１は短冊状であり、倒立円錐曲面上に円周方向に所定角度ピッチで配設される。又、前記ブレード３１は下端から上端に向って前記回転管２２から離反する様に傾斜しており、ブレード支持部３３を介して前記回転管２２に取付けられている。
【００３２】
前記燃料給排部１９には、粉砕された微粉炭を送給する微粉炭送給管３４が接続されており、該微粉炭送給管３４はボイラのバーナ（図示せず）に接続されている。
【００３３】
次に、前記竪型ミル１に於ける木質ペレットの粉砕について説明する。尚、木質ペレットは、おがくず等の１〜２ｍｍの木粉がφ６〜１０×Ｌ２０〜３０ｍｍ程度に押し固められた物体である。
【００３４】
図中、実線は１次空気の流れを示しており、点線は木質ペレット或は粉砕物の流れを示している。
【００３５】
前記粉砕テーブル５が、前記減速機４を介して前記テーブル駆動モータ６により回転され、前記１次空気供給口１７より２００℃前後の１次空気が前記１次空気室１５に導入された状態で、前記シュート２１より木質ペレットが投入される。木質ペレットは、前記シュート２１の下端より前記粉砕テーブル５の中心部に流落し、該粉砕テーブル５上に供給される。
【００３６】
該粉砕テーブル５上の木質ペレットは、該粉砕テーブル５の回転による遠心力で外周方向に移動し、前記加圧ローラ１１に噛込まれて粒径の小さい細粉体と粒径の大きい粗粉体とに粉砕され、更に遠心力によって外周に移動する。
【００３７】
前記１次空気供給口１７より前記１次空気室１５に導入された１次空気は、前記粉砕テーブル５の周面に垂直に形成された吹出し口１８より略垂直に吹上げられる。該吹出し口１８より吹上げられる１次空気は、該吹出し口１８を通過する際の前記粉砕テーブル５の回転による変位により僅かに旋回している。該粉砕テーブル５の回転による遠心力によってテーブルセグメント８を乗越えた粉体は、前記吹出し口１８から吹上がった１次空気に乗って前記ハウジング３の内壁面に沿って緩やかに旋回しながら上昇する。
【００３８】
１次空気と共に前記ハウジング３の内壁面を上昇する粉体は、前記分級機３２に流入し、該分級機３２によって所定粒径以下となる様に分級が行われる。この時、１次空気の上昇流は緩やかな旋回流となっているので、前記分級室１６内を大きく旋回しながら上昇していた従来の竪型ミルと比較すると、前記１次空気供給口１７から前記分級機３２迄の流路が短くなり、又流路が短くなるのに伴い、吹上げられた粉体の前記分級機３２への到達時間も短くなっている。
【００３９】
最終的に分級された粒径の小さい細粉体が微粉炭送給管３４より送出され、図示しないボイラのバーナに供給される。粒径の大きい粗粉体はブレード３１により弾かれ、或は自重により落下し、又粗粉体の一部は再び前記粉砕テーブル５上に落下する。
【００４０】
落下した粗粉体は、該粉砕テーブル５の回転遠心力によって前記凹溝７迄移動し、前記加圧ローラ１１によって再度粉砕され、１次空気により吹上げられた後に、再度前記分級機３２により分級が行われる。
【００４１】
図３（Ａ）は、吹出し口の傾斜を分級室の中心方向に１５°、粉砕テーブルの回転方向に４５°傾斜させた場合の従来の竪型ミルと、前記吹出し口１８の傾斜を前記分級室１６の中心方向、前記粉砕テーブル５の回転方向共に垂直とした第１の実施例の前記竪型ミル１のミル差圧と木質ペレットの供給量の関係を示したグラフである。尚、第１の実施例の竪型ミル１、従来の竪型ミル共に、テーブル回転数を４２ｒｐｍ、分級機回転数を３０ｒｐｍ、ローラ加圧力を３．５Ｍｐａ、ミル風量を３．０ｔ／ｈとして実験を行っている。
【００４２】
図３（Ａ）中、横軸は１時間当りの木質ペレットの供給量を示し、縦軸は従来の竪型ミルに於いて、木質ペレットを供給していない状態のミル差圧を１とした場合の相対値を示している。
【００４３】
木質ペレットを供給していない状態では、第１の実施例に於ける竪型ミル１は従来の竪型ミルよりもミル差圧が１．２５倍程度高くなっている。然し乍ら、第１の実施例に於ける竪型ミル１が木質ペレットの供給量を５００ｋｇ／ｈとしてもミル差圧に殆ど変化がないのに対し、従来の竪型ミルは木質ペレットの供給量を増加させる毎にミル差圧が上昇しており、供給量が３００ｋｇ／ｈの段階で、第１の実施例の竪型ミル１に於いて供給量を５００ｋｇ／ｈとした場合のミル差圧と略同等となる。
【００４４】
又、従来の竪型ミルは、木質ペレットの供給量を３００ｋｇ／ｈから４００ｋｇ／ｈとした段階でミル差圧が急激に上昇し、供給量を５００ｋｇ／ｈとすると、ミル差圧が高くなりすぎる、即ち木質ペレットの供給量が粉体の排出量を上回ることで前記分級室１６内が粉体で一杯となり、木質ペレットの粉砕が進まなくなる。
【００４５】
一方、第１の実施例に於ける竪型ミル１は、木質ペレットの供給量を５００ｋｇ／ｈよりも増加させることでミル差圧の上昇が開始されるが、供給量を６００ｋｇ／ｈとしても、従来の竪型ミルに於いて供給量を４００ｋｇ／ｈとした場合よりもミル差圧が低く、更に供給量を７００ｋｇ／ｈとした場合でも木質ペレットの粉砕が可能となる。
【００４６】
上記した比較結果により、第１の実施例に於ける竪型ミル１は、従来の竪型ミルと比較して、１時間当りに大量の木質ペレットを粉砕可能であるので、前記吹出し口１８の傾斜を垂直とすることで木質ペレットの粉砕容量が大幅に増大していると判断できる。
【００４７】
従って、第１の実施例では、前記吹出し口１８を垂直に形成することで該吹出し口１８から噴出する１次空気の旋回流を減じさせ、前記吹出し口１８から前記分級機３２迄の１次空気の流路を短くした、即ち粉砕された粉体が前記分級機３２に到達するのを容易にし、粉体が前記竪型ミル１内に滞留する時間を短縮させたので、粉体を前記竪型ミル１外へ積極的に排出させることができ、粉砕効率の向上及び粉砕容量の増大を図ることができる。
【００４８】
第１の実施例では、前記吹出し口１８の傾斜を垂直としているが、１次空気が該吹出し口１８を通過する際に前記粉砕テーブル５の回転によって変位する為、前記吹出し口１８より吹出される１次空気の上昇流が僅かに旋回する。
【００４９】
次に、第１の実施例の変形例を説明する。該変形例では、１次空気の上昇流が旋回せずに垂直となる様、前記吹出し口１８を前記粉砕テーブル５の反回転方向に傾斜（逆傾斜）させている。
【００５０】
この時、逆傾斜させる前記吹出し口１８の角度は、１次空気が該吹出し口１８を通過する際に、前記粉砕テーブル５の回転速度によって変位する量を相殺する角度、例えば前記分級室１６の中心方向に向って０°〜５°、前記粉砕テーブル５の反回転方向に向って０°〜５°の範囲で傾斜させるのが望ましい。
【００５１】
前記吹出し口１８を前記粉砕テーブル５の回転方向とは逆向きに傾斜させることで、該粉砕テーブル５の回転による１次空気の変位量を相殺し、１次空気の上昇流の向きを垂直とすることができるので、第１の実施例と比較して前記吹出し口１８から前記分級機３２迄の１次空気の流路をより短くすることができ、粉体が前記竪型ミル１内に滞留する時間をより短縮させることができる。
【００５２】
従って、前記加圧ローラ１１によって粉砕された粉体を、前記竪型ミル１外へとより積極的に排出させることができ、より粉砕効率の向上及び粉砕容量の増大を図ることができる。
【００５３】
次に、図２に於いて本発明の第２の実施例について説明する。尚、図２中、図１中と同等のものには同符号を付し、その説明を省略する。
【００５４】
第２の実施例では、第１の実施例に於ける竪型ミル１のシュート２１を覆う様に、分級機３２の下方に整流筒３５を設けている。
【００５５】
該整流筒３５は中空構造であり、下端から上端に向って前記シュート２１から離反する様傾斜した円錐曲面を有する逆円錐台形状の逆円錐台部３６と、円筒形状の円筒部３７から構成されている。又、前記整流筒３５は整流筒支持部３８を介して前記逆円錐台部３６が下方となる様前記シュート２１に取付けられている。
【００５６】
前記円筒部３７は、例えば前記ハウジング３と前記円筒部３７とで形成される円筒状の流路断面積が前記ハウジング３の断面積の１／１．５倍となる径を有し、前記ハウジング３と前記円筒部３７との間を上昇する１次空気の流速が１．５倍となる様になっている。又、前記逆円錐台部３６の下端の内径は前記シュート２１の外径と略同径となっており、前記逆円錐台部３６の下端と前記シュート２１との間に隙間が生じない様になっている。
【００５７】
又、前記分級機３２は下端が閉塞されると共に、周面に向って下り傾斜の円錐台形状の傾斜部３９を有し、前記分級機３２により分級され、微粉炭送給管３４により排出されずに前記傾斜部３９に堆積した粉体は、該傾斜部３９の傾斜及び前記分級機３２の回転遠心力により前記分級室１６内に排出される様になっている。
【００５８】
処理が開始されると、前記シュート２１から木質ペレットが投入され、粉砕テーブル５上に流落した木質ペレットは、加圧ローラ１１に噛込まれることで細粉体と粗粉体に粉砕された後、前記粉砕テーブル５の遠心力により外周に移動され、垂直に形成された吹出し口１８から略垂直に吹上がった１次空気に乗って吹上げられ、ハウジング３の内壁に沿って緩やかに旋回しながら上昇する。
【００５９】
この時、前記整流筒３５の前記円筒部３７により１次空気の流路断面積が１／１．５倍に縮小されるので、上昇する１次空気の流路が狭まり、１次空気の流速が１．５倍に増大すると共に、前記逆円錐台部３６の円錐曲面により、吹上げられる１次空気が前記整流筒３５に沿って外周方向に誘導されることで圧力損失を抑制している。
【００６０】
前記ハウジング３の内壁面を上昇する粉体に対して、前記分級機３２によって分級が行われ、所定粒径以下の細粉体が微粉炭送給管３４より送出され、図示しないボイラのバーナに供給される。所定粒径以上の粗粉体はブレード３１により弾かれ、或は自重により前記粉砕テーブル５上に落下する。
【００６１】
落下した粉体は、該粉砕テーブル５の回転遠心力によって前記凹溝７迄移動し、前記加圧ローラ１１によって再度粉砕され、１次空気により吹上げられることで再度前記分級機３２により分級が行われる。
【００６２】
図３（Ｂ）は、従来の竪型ミルと、第１の実施例に於ける竪型ミル１（図１参照）と、第１の実施例の竪型ミル１に前記整流筒３５を設けた第２の実施例に於ける竪型ミル１のミル差圧と木質ペレットの供給量の関係を示したグラフである。尚、従来の竪型ミル、第１の実施例の竪型ミル１、第２の実施例の竪型ミル１は共に、テーブル回転数を４２ｒｐｍ、分級機回転数を３０ｒｐｍ、ローラ加圧力を３．５Ｍｐａ、ミル風量を３．０ｔ／ｈとして実験を行っている。
【００６３】
図３（Ｂ）中、横軸は１時間当りの木質ペレットの供給量を示し、縦軸は従来の竪型ミルに於いて、木質ペレットを供給していない状態のミル差圧を１とした場合の相対値を示している。
【００６４】
第１の実施例と第２の実施例とを比較すると、第２の実施例のグラフの形状は、第１の実施例のグラフの形状と似た形状であり、且つ第１の実施例よりもミル差圧が低くなっていると共に、木質ペレットの供給量の増加に伴うミル差圧の上昇度も緩やかになっているのが分る。
【００６５】
上記した比較結果により、第２の実施例に於ける竪型ミル１は、第１の実施例の竪型ミル１よりも同量の木質ペレットを供給した際のミル差圧が低くなっているので、ミル差圧の差分だけ第１の実施例の竪型ミルよりも大量の木質ペレットを粉砕可能であると考えられ、１次空気の流速を速めることで木質ペレットの粉砕容量が増大していると判断できる。
【００６６】
従って、第２の実施例では、前記吹出し口１８の傾斜を垂直とし、該吹出し口１８から前記分級機３２迄の１次空気の流路を短くすると共に、前記整流筒３５を設け、１次空気の流速を速めることで１次空気に吹上げられる粉体の前記分級機３２迄の到達時間を短縮、即ち粉体が前記竪型ミル１内に滞留する時間をより短縮させることができるので、粉体を前記竪型ミル１外へ積極的に排出させることができ、より粉砕効率の向上及び粉砕容量の増大を図ることができる。
【００６７】
尚、第２の実施例では、前記整流筒３５の前記円筒部３７の径を１次空気の流路断面積が１／１．５倍となる径としているが、該円筒部３７の径は適宜選択可能であるのは言う迄もない。
【００６８】
又、第２の実施例では、前記整流筒支持部３８を用いて前記整流筒３５を前記シュート２１に取付けているが、図示しない棒状のサポートを用い、前記ハウジング３に取付ける様にしてもよい。
【００６９】
更に、第１の実施例に於ける変形例と同様、１次空気の上昇流が旋回せずに垂直となる様、１次空気が前記吹出し口１８を通過する際に、前記粉砕テーブル５の回転速度によって変位する量を相殺する角度だけ、前記吹出し口１８を前記粉砕テーブル５の回転方向とは逆向きに傾斜させることで、より粉砕効率の向上及び粉砕容量の増大を図ることができる。
【符号の説明】
【００７０】
１              竪型ミル
３              ハウジング
５              粉砕テーブル
１１            加圧ローラ
１６            分級室
１８            吹出し口
２１            シュート
３２            分級機
３５            整流筒
３６            逆円錐台部
３７            円筒部
【図１】
2012115738.tif 000003
【図２】
2012115738.tif 000004
【図３】
2012115738.tif 000005